(57)【特許請求の範囲】
【請求項１】
ドキュメントを見た人間が感じる印象を表す印象情報群と、ドキュメントの印象を表現する形容詞群と、を関連付けたデータベースと、
前記形容詞群からユーザが選択した形容詞を取得する第１の取得手段と、
前記データベースから、前記選択された形容詞に対応付けられた印象情報を抽出する第１の抽出手段と、
印象の傾向を示す二次元の評価軸によって表され、前記印象情報群がそれぞれ割り付けられた第１の印象マップ上において前記第１の抽出手段によって抽出された印象情報が割り付けられた位置に前記第１の抽出手段によって抽出された印象情報を表示する表示手段と、
前記第１の印象マップとは異なる印象の傾向を示す二次元の評価軸によって表された第２の印象マップ上にドキュメントを見た人間が感じる印象を表す選択肢群を割り付けて表示させ、当該選択肢群からユーザが選択した選択肢を取得する第２の取得手段と、
前記第２の取得手段において選択された選択肢に対応する印象情報を前記データベースから抽出する第２の抽出手段と、
を備え、
前記表示手段は、前記第１の抽出手段によって抽出された印象情報とともに、前記第１の印象マップ上において前記第２の抽出手段によって抽出された印象情報が割り当てられた位置に前記第２の抽出手段によって抽出された印象情報を表示する、
ことを特徴とするデザイン制作支援装置。
【請求項２】
請求項１に記載のデザイン制作支援装置において、
前記第２の取得手段は、前記第２の印象マップとして異なる印象の傾向を示す評価軸によって表された複数の印象マップを準備し、前記複数の印象マップ上にそれぞれ割り当てられた複数種の選択肢群のそれぞれからドキュメントのデザイン制作の目標とする印象にあった選択肢を少なくとも１つずつユーザに選択させて取得し、
前記第２の抽出手段は、前記第２の取得手段において取得された複数の選択肢の組み合わせのパターンに基づいて前記第２の取得手段において選択された複数の選択肢に対応する印象情報を前記データベースから抽出する、
ことを特徴とするデザイン制作支援装置。
【請求項３】
請求項２に記載のデザイン制作支援装置において、
前記第２の抽出手段は、前記第２の取得手段において取得された複数の選択肢の評価軸上での座標の組み合わせからなる嗜好評価パターンと、前記第１の印象マップ上の各領域に対して予め定められた基準パターンと、のマッチング処理によって前記第２の取得手段において選択された複数の選択肢に対応する印象情報を前記データベースから抽出することを特徴とするデザイン制作支援装置。
【請求項４】
請求項３に記載のデザイン制作支援装置において、
前記第２の抽出手段は、さらに、前記嗜好評価パターンと前記基準パターンとのマッチングの度合を示す評価値を求め、
前記表示手段は、前記第２の抽出手段において求められた前記第１の印象マップ上の領域に、前記ドキュメントのデザイン制作の目標とすべき印象を表す情報として前記評価値を表示させることを特徴とするデザイン制作支援装置。
【請求項５】
請求項１〜４のいずれか１つに記載のデザイン制作支援装置において、
前記選択肢群は、形容詞群、カラーパッチ群、カラーパレット群及び具象化された画像群のうちの少なくとも１種であることを特徴とするデザイン制作支援装置。
【請求項６】
ドキュメントを見た人間が感じる印象を表す印象情報群と、ドキュメントの印象を表現する形容詞群と、を関連付けたデータベースを記憶手段に保持するコンピュータを、
前記形容詞群からユーザが選択した形容詞を取得する第１の取得手段と、
前記データベースから、前記選択された形容詞に対応付けられた印象情報を抽出する第１の抽出手段と、
印象の傾向を示す二次元の評価軸によって表され、前記印象情報群がそれぞれ割り付けられた第１の印象マップ上において前記第１の抽出手段によって抽出された印象情報が割り付けられた位置に前記第１の抽出手段によって抽出された印象情報を表示する表示手段と、
前記第１の印象マップとは異なる印象の傾向を示す二次元の評価軸によって表された第２の印象マップ上にドキュメントを見た人間が感じる印象を表す選択肢群を割り付けて表示させ、当該選択肢群からユーザが選択した選択肢を取得する第２の取得手段と、
前記第２の取得手段において選択された選択肢に対応する印象情報を前記データベースから抽出する第２の抽出手段と、
として機能させ、
前記表示手段は、前記第１の抽出手段によって抽出された印象情報とともに、前記第１の印象マップ上において前記第２の抽出手段によって抽出された印象情報が割り当てられた位置に前記第２の抽出手段によって抽出された印象情報を表示する、
ことを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。従って、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図４１に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００７】
【特許文献１】特開２００４−１０２７３４号公報
【発明の開示】
【発明が解決しようとする課題】
【０００８】
上記特許文献１に記載の技術では、目標となる印象や実際のドキュメントからユーザが受けた印象は、形容詞群からなる文字情報と、それらを評価軸により表した評価値（印象マップ上の座標）によって評価及び表現される。印象マップ上に配置された形容詞群は、連続的に配置されておらず、離散的かつ不均等に配置されている。
【０００９】
一方、ユーザの嗜好調査で得られたデータ等を予め統計処理して因子分析した結果に基づいて作成された嗜好評価は基本的に連続的であり、かつ、線形性を有する。
【００１０】
また、デザイン制作の目標となる印象や実際のドキュメントからユーザが受ける印象を評価するためには、２つ以上の異なる座標軸に沿って評価を行うことが好ましい。
【００１１】
しかしながら、上記従来技術では、予め定められた評価軸で表される１つの印象マップ上に離散的に展開された選択肢群（形容詞群）に基づいて印象を評価するしかなく、連続的かつ線形的な嗜好分析に沿って印象を高い精度で評価することができなかった。
【００１２】
本発明は、上記従来の技術の課題を鑑み、デザイン制作の目標となる目標印象情報や実際のデザインから受けた印象を示すユーザ印象情報をより高い制度で評価することを可能としたデザイン制作支援装置及びデザイン制作支援プログラムを提供することを目的とする。
【課題を解決するための手段】
【００１３】
本発明は、ドキュメントを見た人間が感じる印象を表す印象情報群と、ドキュメントの印象を表現する形容詞群と、を関連付けたデータベースと、前記形容詞群からユーザが選択した形容詞を取得する第１の取得手段と、前記データベースから、前記選択された形容詞に対応付けられた印象情報を抽出する第１の抽出手段と、印象の傾向を示す二次元の評価軸によって表され、前記印象情報群がそれぞれ割り付けられた第１の印象マップ上において前記第１の抽出手段によって抽出された印象情報が割り付けられた位置に前記第１の抽出手段によって抽出された印象情報を表示する表示手段と、前記第１の印象マップとは異なる印象の傾向を示す二次元の評価軸によって表された第２の印象マップ上にドキュメントを見た人間が感じる印象を表す選択肢群を割り付けて表示させ、当該選択肢群からユーザが選択した選択肢を取得する第２の取得手段と、前記第２の取得手段において選択された選択肢に対応する印象情報を前記データベースから抽出する第２の抽出手段と、を備え、前記表示手段は、前記第１の抽出手段によって抽出された印象情報とともに、前記第１の印象マップ上において前記第２の抽出手段によって抽出された印象情報が割り当てられた位置に前記第２の抽出手段によって抽出された印象情報を表示する、ことを特徴とするデザイン制作支援装置である。
【００１４】
上記本発明のデザイン制作支援装置は、コンピュータにおいてデザイン制作支援プログラムを実行することによって実現することができる。すなわち、本発明は、ドキュメントを見た人間が感じる印象を表す印象情報群と、ドキュメントの印象を表現する形容詞群と、を関連付けたデータベースを記憶手段に保持するコンピュータを、前記形容詞群からユーザが選択した形容詞を取得する第１の取得手段と、前記データベースから、前記選択された形容詞に対応付けられた印象情報を抽出する第１の抽出手段と、印象の傾向を示す二次元の評価軸によって表され、前記印象情報群がそれぞれ割り付けられた第１の印象マップ上において前記第１の抽出手段によって抽出された印象情報が割り付けられた位置に前記第１の抽出手段によって抽出された印象情報を表示する表示手段と、前記第１の印象マップとは異なる印象の傾向を示す二次元の評価軸によって表された第２の印象マップ上にドキュメントを見た人間が感じる印象を表す選択肢群を割り付けて表示させ、当該選択肢群からユーザが選択した選択肢を取得する第２の取得手段と、前記第２の取得手段において選択された選択肢に対応する印象情報を前記データベースから抽出する第２の抽出手段と、として機能させ、前記表示手段は、前記第１の抽出手段によって抽出された印象情報とともに、前記第１の印象マップ上において前記第２の抽出手段によって抽出された印象情報が割り当てられた位置に前記第２の抽出手段によって抽出された印象情報を表示する、ことを特徴とするデザイン制作支援プログラムにより実現することができる。
【００１５】
以上の発明によれば、ドキュメントのデザイン制作の目標とする印象を、互いに異なる印象の傾向を示す評価軸で表される複数の印象マップ間で比較することが容易となる。すなわち、複数の印象マップのうちいずれかの印象マップ上に割り当てられた選択肢群からデザイン制作の目標にあった選択肢を選び出し、選び出された選択肢が他の印象マップ上のどの領域に該当するかをマッチング処理により求めることによって、複数の評価空間での印象の比較を行うことを容易にする。
【００１６】
ここで、前記第２の取得手段は、前記第２の印象マップとして異なる印象の傾向を示す評価軸によって表された複数の印象マップを準備し、前記複数の印象マップ上にそれぞれ割り当てられた複数種の選択肢群のそれぞれからドキュメントのデザイン制作の目標とする印象にあった選択肢を少なくとも１つずつユーザに選択させて取得し、前記第２の抽出手段は、前記第２の取得手段において取得された複数の選択肢の組み合わせのパターンに基づいて前記第２の取得手段において選択された複数の選択肢に対応する印象情報を前記データベースから抽出する、ことが好適である。
【００１７】
具体的には、前記第２の抽出手段は、前記第２の取得手段において取得された複数の選択肢の評価軸上での座標の組み合わせからなる嗜好評価パターンと、前記第１の印象マップ上の各領域に対して予め定められた基準パターンと、のマッチング処理によって前記第２の取得手段において選択された複数の選択肢に対応する印象情報を前記データベースから抽出することが好適である。
【００１８】
このように、複数の印象マップ上にそれぞれ割り当てられた複数種の選択肢群から選ばれた選択肢の組み合わせに基づいて別の印象マップ上の該当領域を求めることによって、デザイン制作の目標とすべき印象をより的確に定めることができる。
【００１９】
また、前記基準パターンを年齢、性別等のユーザの特性毎に設定しておき、前記情報選択手段において選択肢を選択するユーザ（評価者）の特性を取得し、ユーザ（評価者）の特性に合った基準パターンを選択して前記嗜好評価パターンとのマッチングを行うことが好適である。これによって、ユーザの特性に応じた嗜好に基づいてデザイン制作の目標とすべき印象を呈示することができる。
【００２１】
また、前記第２の抽出手段は、さらに、前記嗜好評価パターンと前記基準パターンとのマッチングの度合を示す評価値を求め、前記表示手段は、前記第２の抽出手段において求められた前記第１の印象マップ上の領域に、前記ドキュメントのデザイン制作の目標とすべき印象を表す情報として前記評価値を表示させることも好適である。
【００３１】
なお、前記選択肢群は、形容詞群、カラーパッチ群、カラーパレット群及び具象化された画像群のうちの少なくとも１種とすることが好適である。
【発明の効果】
【００３２】
本発明によれば、デザイン制作の目標となる目標印象情報や実際のデザインから受けた印象を示すユーザ印象情報をより高い精度で評価することができる。
【発明を実施するための最良の形態】
【００３３】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００３４】
マネジメントサーバ１００は、図２のように、制御部１０、記憶部１２、入力部１４、出力部１６及びネットワークインターフェース部１８から基本的に構成される。
【００３５】
制御部１０は、記憶部１２に保存されたデザイン制作支援プログラムを読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。
【００３６】
記憶部１２は、デザイン制作支援プログラム及び入力部１４やネットワークから取り込まれるキーワード等の各種データを格納及び保持する。また、処理に必要とされる印象表現データベース、印象評価データベース、目標印象情報データベース、嗜好情報データベース、デザイン評価データベース、デザインデータベース、ユーザ印象情報データベース、ユーザ嗜好情報データベース、印象マップ表示用データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００３７】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００３８】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００３９】
ネットワークインターフェース部１８は、マネジメントサーバ１００をネットワーク１０４と情報伝達可能に接続するために用いられる。
【００４０】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示すデザイン制作支援方法の処理の一部をクライアントコンピュータ１０２で実行させてもよい。
【００４１】
２．デザイン制作支援方法
本実施の形態におけるデザイン制作支援方法を、図３を参照して、以下に詳細に説明する。なお、本願請求項に係る発明における各手段は、以下のデザイン制作支援方法の各工程をコンピュータで処理させることによって実現される。
【００４２】
ここで、デザインの制作を行う者（以下、デザイン制作者という）、デザイン制作者に対してデザインの制作を依頼する者（以下、依頼主という）及び制作されたデザインの受け手となる者（以下、ユーザという）がシステムを利用するものとして説明を行う。また、デザイン制作者、依頼主及びユーザのいずれもが行うことができる作業については、一般的に操作者が操作を行うものとする。通常、デザイン制作者、依頼主及びユーザは異なる者であるが、デザイン制作者自身が制作したデザインを適切に修正するときなどは、デザイン制作者、依頼主及びユーザが同一者となる場合もある。
【００４３】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても機能することができる。以下の説明においては便宜上、操作者はマネジメントサーバ１００を用いて処理を行うものとする。
【００４４】
デザイン制作支援方法は、図３のように、ステップＳ１０の目標印象決定工程、ステップＳ２０のデザイン印象評価工程、ステップＳ３０のユーザ印象取得工程及びステップＳ４０の印象提示工程を含んでなる。
【００４５】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００４６】
プログラムの処理が開始されると、ステップＳ０において、図４のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００４７】
また、メインメニュー画面１０００には、制作の対象となっているデザインの識別番号を入力するボックス１５が設けられており、以下の処理において対象となるデータベース等はこのボックス１５に入力された番号で識別されることとなる。
【００４８】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象提示工程に処理を移行させる場合もそれぞれデザイン印象評価ボタン２２、ユーザ印象取得ボタン２４、印象提示ボタン２６が表示されている位置にマウスポインタ５を移動させてマウスをクリックすることによって処理を移行させることができる。
【００４９】
２−１．目標印象決定工程
ステップＳ１０の目標印象決定工程では、制作対象となるデザインに必要とされる印象に関する情報（以下、目標印象情報という）が定められる。目標印象決定工程は、図５に示すフローチャートによって処理される。
【００５０】
本実施の形態では、複数の異なる評価空間に分布する複数種の選択肢群から目標とする印象に合った情報を選択し、それらの情報から所定の評価空間においてデザイン制作の目標とする印象を表す情報を求める。
【００５１】
目標印象情報を設定するための評価空間は多数の被験者の嗜好調査によって設定される。すなわち、被験者の嗜好調査で得られたデータ等を統計処理して因子分析した結果に基づいて複数種の選択肢群について評価空間を定める。各選択肢群は、それぞれの評価空間内に分布する。
【００５２】
ここで、デザインの印象を表現する情報（選択肢）は、デザインの印象を端的に表現する形容詞群からなる文字情報、単一の色彩からなるカラーパッチ群、複数の色彩を組み合わせたカラーパレット群、デザインの印象を具象化して表した画像群、デザインの印象を抽象的に表現する抽象画群等を、デザイン制作の対象に応じて適宜選択して用いることが好適である。
【００５３】
評価空間は、印象を表す印象マップとして具現化される。例えば、図６に示すような印象マップの全体を網羅する形容詞を選択肢群として選定することができる。ここで、図６に示した印象マップは、表示画面を複数の領域に分割し、各々の領域をドキュメントの印象を示す領域として割り当てたものである。印象マップには座標軸（評価軸）を設けて、その座標軸に沿って印象が所定の傾向で変化していくように印象を表す情報を割り当てる。図６の印象マップでは、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って選択肢である形容詞が割り当てられている。本実施の形態では、この形容詞群が割り付けられた印象マップを基準印象マップとする。
【００５４】
また、例えば、図７に示すような印象マップの全体を網羅するカラーパッチを選択肢群として選定することができる。図７の例では、“庶民的”から“洗練”までのデザインの印象の傾向を示すI座標と、“男性的”から“女性的”までのデザインの印象の傾向を示すII座標と、の二つの直交座標を設け、それぞれの印象の変化に沿って選択肢であるカラーパッチが割り当てられている。
【００５５】
また、例えば、図８に示すような印象マップの全体を網羅するカラーパレットを選択肢群として選定することができる。図８の例では、“激しい”から“明るい”までのデザインの印象の傾向を示すIII座標と、“静的”から“遊び”までのデザインの印象の傾向を示すIV座標と、の二つの直交座標を設け、それぞれの印象の変化に沿って選択肢であるカラーパレットが割り当てられている。
【００５６】
また、例えば、図９に示すような印象マップの全体を網羅する具象化されたコーヒーカップの絵を選択肢群として選定することができる。図９の例では、“本格”から“かわいい”までのデザインの印象の傾向を示すV座標と、“シンプル”から“装飾”までのデザインの印象の傾向を示すVI座標と、の二つの直交座標を設け、それぞれの印象の変化に沿って選択肢であるコーヒーカップの絵が割り当てられている。
【００５７】
なお、印象マップへの情報の割り当て方法はこれに限られるものではなく、対象とするデザインの種類に応じて座標軸の設定を変更することが好ましい。例えば、“ベタ”から“上品”、“色的訴求”から“質的訴求”、“楽しさ”から“高級”、“親近感”から“センス感”、“ダンディ”から“フェミニン”、“濁色”から“清色”、“ハード”から“ソフト”、“重厚”から“繊細”、“堅実”から“メルヘン”、“現実的”から“ファンタジック”、“上質”から“チープ”等の印象の傾向の移り変わりを表す座標軸を設定してもよい。
【００５８】
各選択肢群は、それぞれ印象表現データベースとして予め記憶部１２に保存しておくことによって、適宜読み出して用いられる。例えば、図６に示した印象マップに割り当てられる形容詞群は、図１０に示すような印象表現データベースとして記憶部１２に保存される。
【００５９】
ステップＳ１０ａでは、制御部１０は、目標印象入力画面１００２ａ〜１００２ｄを出力部１６に表示させる。目標印象入力画面１００２ａ〜１００２ｄは、図１１に示すように、デザインの印象を表現する複数の情報（選択肢）を提示して、依頼主からデザイン制作の目標となる印象にあった情報（選択肢）を選択させるものである。
【００６０】
図１１に示す目標印象入力画面１００２ａは、ここでは、印象表現データベースに登録されている図６に示した基準印象マップに割り付けられた形容詞を読み出し、それらを列挙表示したものである。図１２に示す目標印象入力画面１００２ｂは、ここでは、印象表現データベースに登録されている図７に示した印象マップに割り付けられたカラーパッチを読み出し、それらを列挙表示したものである。図１３に示す目標印象入力画面１００２ｃは、ここでは、印象表現データベースに登録されている図８に示した印象マップに割り付けられたカラーパレットを読み出し、それらを列挙表示したものである。図１４に示す目標印象入力画面１００２ｄは、ここでは、印象表現データベースに登録されている図９に示した印象マップに割り付けられたコーヒーカップの絵を読み出し、それらを列挙表示したものである。
【００６１】
ステップＳ１０ｂでは、依頼主は入力部１４を用いて、デザインに要求される印象に沿った情報を選択する。上記の複数の目標印象入力画像１００２ａ〜１００２ｄを用いて複数種の選択肢群からそれぞれ少なくとも１つの情報（選択肢）をユーザに選択させる。
【００６２】
例えば、ドキュメントの制作依頼主は、入力部１４としてマウスを用いて、図１１に示した目標印象入力画面１００２ａに重ね合わせて表示されたマウスポインタ５を移動させ、デザインに要求される印象に合う形容詞に付設されたチェックボックス２８にマウスポインタ５を合わせてマウスをクリックすることによって選択する。選択されたチェックボックス２８には、チェックマークを表示させる。選択が終了すると、マウスポインタ５を決定ボタン２９の位置に移動させ、マウスをクリックすることによって、選択された形容詞の文字情報が記憶部１２に保存される。
【００６３】
また、ドキュメントの制作依頼主は、入力部１４としてマウスを用いて、図１２〜図１４に示した目標印象入力画面１００２ｂ〜１００２ｃにおいてもそれぞれデザインに要求される印象にあうカラーパッチ、カラーパレット及びコーヒーカップの絵にマウスポインタ５を合わせてクリックすることによって選択し、選択した後にデータ登録ボタン２５にマウスポインタ５を合わせてクリックすることによって、選択されたカラーパッチ、カラーパレット及びコーヒーカップの絵の情報が選択される。選択された情報は記憶部１２に保存される。
【００６４】
なお、印象を表現する情報の選択方法は、これに限られるものではなく、依頼主の入力が容易に行える方法であれば他の方法を用いても良い。
【００６５】
次に、ステップＳ１０ｃにおいて、ステップＳ１０ｂで基準印象マップから選択された情報（形容詞）に基づいて、ドキュメントのデザイン制作において目標となる印象を決めるための目標印象情報データベース及び嗜好情報データベースが登録される。この処理には、印象評価データベースが用いられる。印象評価データベースは、図１５のように、基準印象マップ上の印象を表す区分に対応付けられる印象情報に対して、印象表現データベースに含まれる各情報（形容詞）、及び、各印象情報に対して関連付けられる各情報（形容詞）間のその印象情報に対する相対的な重要度を示す重み係数が関連付けられて保持されている。各情報（形容詞）にはそれぞれ１つの重み係数が関連付けられる。
【００６６】
制御部１０は、ステップＳ１０ｂにおいて選択された情報（形容詞）を記憶部１２から読み出し、図１５に示す印象評価データベースを参照することによって、読み出された情報（形容詞）に関連付けられた印象情報及びそれに対する重み係数を抽出する。制御部１０は、選ばれた印象情報毎に重み係数を足し合わせて評価値を算出する。そして、抽出された印象情報及び印象情報毎の重み係数の評価値をデザインの識別番号に関連付けて目標印象情報データベースとして記憶部１２に保存する。
【００６７】
例えば、選定された文字情報が「あどけない」であった場合、図１５の印象評価データベースの例では、印象情報として「プリティ」が抽出され、その「プリティ」に対する重み係数として０．５００が抽出される。また、「可憐な」が選択されていた場合、印象情報として「ロマンチック」が抽出され、その「ロマンチック」に対する重み係数として１．０００が抽出される。さらに「メルヘンの」が選択されていた場合、印象情報として「ロマンチック」が抽出され、その「ロマンチック」に対する重み係数として０．５００が抽出される。この場合、印象情報毎に重み係数を足し合わせた評価値は、それぞれ「プリティ」が０．５００、「ロマンチック」が１．５００となる。したがって、図１６に示すような目標印象情報データベースが登録される。
【００６８】
ステップＳ１０ｄでは、ステップＳ１０ｂで基準印象マップ以外の印象マップから選択された情報（カラーパッチ、カラーパレット、コーヒーカップの絵）に基づいて嗜好情報データベースが登録される。嗜好情報データベースは、図７〜図９に示した印象マップで表される各評価空間において選択された選択肢の配置位置の組み合わせに応じて登録される。
【００６９】
まず、ステップＳ１０ｂで選択された情報に基づいて嗜好評価パターンが求められる。例えば、図１７に示すように、図７に示すカラーパッチ（図中の第２３番目のカラーパッチ）が選択された場合、そのカラーパッチが割り付けられた印象マップ上のI軸上の座標とII軸上の座標とをプロットする。同様に、図８に示すカラーパレットが割り付けられた印象マップ上において、ステップＳ１０ｂで選択されたカラーパレットが割り付けられたIII軸上の座標とIV軸上の座標とをプロットする。さらに、図９に示すコーヒーカップの絵が割り付けられた印象マップ上において、ステップＳ１０ｂで選択されたコーヒーカップの絵が割り付けられたV軸上の座標とVI軸上の座標とをプロットする。このとき、１つの印象マップに対して複数の選択肢が選択されている場合には、それぞれの座標軸（評価軸）上における複数の選択肢の平均位置を示す座標をプロットする。このようにプロットされた嗜好評価パターンａは、各印象マップで表される評価空間において選択された選択肢の配置位置の組み合わせを表す。
【００７０】
一方、図１５の印象評価データベースに登録されている印象情報毎に、各々の印象情報が示す印象に合ったプロットの基準パターンが予め定められる。基準パターンは、多数の被験者に対するアンケート等の嗜好調査によって設定することができる。すなわち、被験者の嗜好調査で得られたデータ等を統計処理して因子分析した結果に基づいて、基準印象マップ上の各領域に割り当てられた印象情報と、基準印象マップとは異なる評価軸を有する印象マップに割り当てられた選択肢と、の相関関係に基づいて各印象情報に対する基準パターンを設定する。
【００７１】
例えば、印象情報「ナチュラル」に対する基準パターンは図１７のパターンｂに示すようなものとなり、印象情報「カジュアル」に対する基準パターンは図１７のパターンｃに示すようなものとなる。他の印象情報についても同様に基準パターンが設定される。
【００７２】
嗜好評価パターンと印象情報毎に定められた基準パターンとのマッチングに基づいて嗜好情報データベースは登録される。マッチング処理には、既存の方法を適用することができる。例えば、数式（１）を用いて、I軸からVI軸までの基準パターンの値ａIからａVIと嗜好評価パターンの値ＡIからＡVIの二乗平均値に基づいてマッチングの度合を算出し、マッチングの度合が所定の閾値よりも高い印象情報を抽出する。また、抽出された印象情報に対してマッチングの評価値を設定する。このとき、マッチングの度合が高いほど評価値が高くなるようにする。
【００７３】
【数１】
0004802826.tif 000002
【００７４】
嗜好評価パターンが図１７に示すようなパターンａとなった場合、印象情報「ナチュラル」の基準パターンｂの方が印象情報「カジュアル」の基準パターンｃよりもマッチングの度合が高くなる。そこで、印象情報「ナチュラル」の評価値が０．８００、印象情報「カジュアル」の評価値が０．４００のように印象情報「ナチュラル」の評価値が印象情報「カジュアル」の評価値よりも高く設定される。
【００７５】
このように、マッチング処理で得られた各印象情報に対する評価値は、図１８に示すように、嗜好情報データベースとして記憶部１２に登録される。
【００７６】
なお、印象情報毎に設定される基準パターンは、年齢（年代）、性別等のユーザの特性に応じてさらに細かく設定されることも好適である。例えば、アンケート等に基づいて印象情報毎に基準パターンを設定する際に、被験者の年齢層や性別毎にアンケート結果を分類して基準パターンを設定する。一方、図１２から図１４に示すように、ユーザの年代の入力部２１やユーザの性別の入力部２３を設けてデザインの対象となる閲覧者の特性を取得し、その特性に応じた基準パターンとのマッチング処理を行う。これによって、特定の年齢や性別のユーザの嗜好を適切に評価した印象の評価値を求めることができる。
【００７７】
また、一人のユーザが選択した選択肢に基づいて目標印象情報データベース及び嗜好情報データベースを定めるものとしたが、上記工程を繰返すことによって複数の者から得られた情報に基づいて処理を行うことも好適である。例えば、企業内の複数の役員から企業のコーポレートカラーの目標印象情報を抽出したり、複数の商品開発担当者から商品デザインの目標印象情報データベースや嗜好情報データベースを登録する場合に非常に有効である。
【００７８】
ユーザ毎に、各選択肢群から選択肢を選択させる。そして、選択された形容詞から印象情報を抽出し、抽出された印象情報毎に重み係数を足し合わせて評価値を算出する。さらに、印象情報毎に複数のユーザに対する印象情報の評価値を足し合わせて、その和を目標印象情報データベースに登録する。また、複数のユーザによって選択されたカラーパッチ、カラーパレット、コーヒーカップの絵のそれぞれについて各印象マップにおける評価軸上の平均的な位置（座標）を求め、それらによって表される嗜好評価パターンに基づいて各印象情報の評価値を決定し、嗜好情報データベースとして登録する。
【００７９】
この場合も、年齢（年代）、性別等の特性毎にユーザを分類して、それぞれの分類毎に嗜好評価パターンを求めてマッチング処理を行うことによって、ユーザの特性毎にデザイン制作の目標とする印象に対する嗜好を抽出してもよい。
【００８０】
また、本実施の形態では、カラーパッチ群、カラーパレット群、コーヒーカップの絵群（具象化された画像群）の組み合わせによって嗜好情報データベースを登録したが、これに限定されるものではない。ドキュメントのデザインの印象を表す選択肢群であればよい。
【００８１】
また、基準印象マップは形容詞群以外の選択肢群が割り当てられた印象マップでもよい。例えば、形容詞群の代わりにカラーパッチ群が割り当てられた印象マップを基準印象マップとし、形容詞群、カラーパレット群及びコーヒーカップの絵群を用いて基準印象マップ上におけるユーザの嗜好を示す嗜好情報データベースを求めてもよい。
【００８２】
２−２．デザイン印象評価工程
ステップＳ０において、デザイン印象評価ボタン２２がクリックされると、ステップＳ２０のデザイン印象評価工程に処理が移行される。
【００８３】
ステップＳ２０のデザイン印象評価工程においては、ドキュメントのデザインの印象に関する情報（以下、デザイン印象情報という）が抽出される。デザイン印象評価工程は、図１９のフローチャートに沿って処理される。
【００８４】
まず、ステップＳ２０ａにおいて、実際のドキュメントデータを取り込み、記憶部１２に格納及び保持する。制御部１０は、図２０のように、デザイン取込画面１００４を出力部１６に表示して、デザイン制作者に対して評価対象となるデザインに関するドキュメントの入力を促す。
【００８５】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図２１のように、ドキュメントデータの識別情報（例えばＵＲＬ）と関連付けられてデザインデータベースとして記憶部１２に順次蓄積される。
【００８６】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【００８７】
また、制作したウェブページのみならず、例えば、競合他社のウェブページのＵＲＬを指定することによって、それらのウェブページのドキュメントデータを取り込んで評価することも可能である。
【００８８】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【００８９】
以下の説明では、例として図２２のウェブページのドキュメントが取り込まれたものとする。
【００９０】
ステップＳ２０ｂでは、取り込まれたドキュメントデータが人間に与える印象の評価を行う。デザインの印象評価には、特願２００２−１８７５２２号等の既存の評価手段を用いることができる。
【００９１】
すなわち、制御部１０は被評価ドキュメントの画像データを記憶部１２から読み出し、図２２のように領域分割する。領域分割には、既存の画像領域分割ツールを用いることができる。次に、面積、位置、大きさ、色平均、他の領域との色差等の物理的特徴量を分割された領域毎に抽出する。
【００９２】
ここで、各領域は、ＲＧＢ色空間からＬ＊ａ＊ｂ＊色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ＊ａ＊ｂ＊色空間に変換することによって、より人の感性に近い印象として分析・評価することができる。また、Ｌ＊ａ＊ｂ＊空間はドキュメントのダイナミックレンジを表現できる点からも好適である。勿論、ドキュメントデータが既にＬ＊ａ＊ｂ＊色空間で表現されている場合には変換をする必要はない。
【００９３】
また、物理的な特徴量とは、着目領域の面積、着目領域の幅ｗ及び高さｈ、左上の位置ｘ，ｙ、着目領域全体の色平均、Ｌ＊成分の平均値、ａ＊成分の平均値、ｂ＊成分の平均値、ドキュメント全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【００９４】
一方、物理的特徴量の組み合わせに対してデザイン印象情報を関連付けてデザイン評価データベースとして記憶部１２に格納及び保持する。例えば、図２３のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表すデザイン印象情報を関連付けて保存しておく。
【００９５】
このデザイン評価データベースに基づいて、実際のドキュメントデータの背景領域、メイン領域及びアクセント領域から平均色を抽出し、その平均色の組み合わせからデザイン印象情報を抽出することができる。抽出されたデザイン印象情報は、図２１のように、ドキュメントデータの識別番号及び評価対象となったドキュメントデータと関連付けられてデザインデータベースとして記憶部１２に格納及び保持される。
【００９６】
例えば、図２２のドキュメントデータの背景領域、メイン領域及びアクセント領域の各領域から平均色を抽出すると、図２３のデザイン評価データベースに基づいて、「ナチュラル」というデザイン印象情報を求めることができる。
【００９７】
なお、印象に関する情報を抽出するために用いることができる特徴量は、領域の面積、領域の幅ｗ及び高さｈ、左上の位置ｘ，ｙ、領域全体の色平均、Ｌ＊成分の平均値、ａ＊成分の平均値、ｂ＊成分の平均値、全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数を用いてもよい。
【００９８】
また、これらの特徴量を組み合わせた条件とドキュメントの印象に関する表現情報とを関連付けた多次元の表現情報データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す表現情報を抽出することも可能となる。
【００９９】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【０１００】
また、本実施の形態では、ドキュメントである画像データを複数の領域に分割して処理を行ったが、１つのドキュメント全体から特徴量を抽出してデザイン印象情報を決定してもよい。
【０１０１】
デザイン印象が選定されると、デザイン印象評価工程を終了し、制御部１０は、ステップＳ０に制御を戻す。
【０１０２】
２−３．ユーザ印象取得工程
ステップＳ０において、ユーザ印象取得工程ボタン２４がクリックされると、ステップＳ３０のユーザ印象取得工程に処理が移行される。
【０１０３】
ステップＳ３０のユーザ印象取得工程では、ステップＳ２０で取り込まれたドキュメントデータについてユーザが持つ印象（以下、ユーザ印象情報という）の取得を行う。ユーザ印象取得工程は、図２４に示すフローチャートによって処理される。
【０１０４】
まず、ステップＳ３０ａにおいて、制御部１０は、ドキュメントデータ選択画面１００６を出力部１６に表示させ、ステップＳ２０で取り込まれたドキュメントデータのうち印象取得の対象となるドキュメントデータの選択を促す。
【０１０５】
ドキュメントデータ選択画面１００６は、図２５のように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【０１０６】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【０１０７】
ステップＳ３０ｂでは、制御部１０は、ユーザ印象入力画面１００８ａ〜１００８ｄを出力部１６に表示させ、ドキュメントデータを見たユーザが受ける印象の入力を促す。
【０１０８】
ユーザ印象入力画面１００８ａ〜１００８ｄは、図２６〜図２９のように、選択されたドキュメントデータの内容を表示する領域４３と、デザインの印象を表現する情報を列挙表示する領域４４とに分割される。
【０１０９】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図２６〜図２９のように、デザインデータベースからそのドキュメントデータのＵＲＬを読み出し、そのＵＲＬからそのドキュメントデータを取り込んでディスプレイ上に表示する。
【０１１０】
さらに、制御部１０は、記憶部１２に保持されている印象表現データベースからデザインの印象を表現する情報（選択肢）を読み出し、印象表現表示領域４４に表示させる。印象表現データベースに含まれる印象を表現する情報は、ステップＳ１０の目標印象決定工程と同様、デザインの印象を端的に表現する形容詞群からなる文字情報、単一の色彩からなるカラーパッチ群、複数の色彩を組み合わせたカラーパレット群、デザインの印象を具象化して表した画像群、デザインの印象を抽象的に表現する抽象画群等から適宜選択して用いることが好適である。
【０１１１】
例えば、選択肢として形容詞が選択された場合、図２６に示すように、図１０の印象情報データベースから複数の形容詞群からなる文字情報を読み出して印象表現表示領域４４に表示させる。同様に、カラーパッチ、カラーパレット、具象化された画像（コーヒーカップの絵）についても、図２７〜図２９と同様の画像を印象表現表示領域４４に表示させる。このとき、複数種の選択肢群についてデザインの印象に合った選択肢を選択させるための画像を印象表現表示領域４４に並べて表示させたり、適宜切り換えて表示させたりする方法を採ることが好ましい。また、図１２〜図１４と同様に、ユーザの年齢や性別等を取得するためのチェックボックス等を設けて、年代や性別等のユーザの特性を取得できるようにしてもよい。
【０１１２】
次に、ステップＳ３０ｃにおいて、ユーザは、ドキュメントデータ表示領域４３に表示されたドキュメントのデザインを見たときに感ずる印象に合った情報を入力部１４を用いて選択する。
【０１１３】
例えば、図２６のように、形容詞が列挙された印象表現表示領域４４にマウスポインタ５を表示しておき、ユーザはマウスを用いて、デザインから受ける印象に合致する形容詞に設けられたチェックボックス４６にマウスポインタ５を移動させ、マウスをクリックして選択する。選択されたチェックボックス４６にはチェックマークを表示させる。形容詞の選択が終了すると、マウスポインタ５を決定ボタン４７の位置まで移動させてマウスをクリックすることによって、選択された形容詞の文字情報が記憶部１２に保存される。例えば、「子供らしい」及び「甘美な」及び「ういういしい」という文字情報が選択され記憶部１２に保存される。
【０１１４】
また、ユーザは、入力部１４としてマウスを用いて、図１２〜図１４と同様に、図２７〜図２９の印象表現表示領域４４においてもそれぞれデザインに要求される印象にあうカラーパッチ、カラーパレット及びコーヒーカップの絵にマウスポインタ５を合わせてクリックすることによって選択し、選択した後に決定ボタン４７にマウスポインタ５を合わせてクリックすることによって、選択されたカラーパッチ、カラーパレット及びコーヒーカップの絵の情報を選択することができる。選択された情報は記憶部１２に保存される。
【０１１５】
ユーザの印象を取得する方法はこれに限られるものではない。すなわち、ユーザがドキュメントデータのデザインに対する印象を容易に入力できるものであれば良い。
【０１１６】
ステップＳ３０ｄでは、ステップＳ３０ｃで選択された情報に基づいて、ユーザ印象情報データベースが登録される。この処理には、ステップＳ１０の目標印象決定工程で用いられた印象評価データベースが使用される。
【０１１７】
制御部１０は、ステップＳ３０ｃにおいて基準印象マップから選択された情報（形容詞）を記憶部１２から読み出し、図１５に示す印象評価データベースを参照することによって、読み出された情報（形容詞）に関連付けられた印象情報及びそれに対する重み係数を抽出する。制御部１０は、選ばれた印象情報毎に重み係数を足し合わせて評価値を算出する。そして、抽出された印象情報及び印象情報毎の重み係数の評価値をデザインの識別番号に関連付けてユーザ印象情報データベースとして記憶部１２に保存する。
【０１１８】
例えば、選定された文字情報が「子供らしい」であった場合、図１５の印象評価データベースの例では、印象情報として「プリティ」が抽出され、その「プリティ」に対する重み係数として１．０００が抽出される。また、「甘美な」が選択されていた場合、印象情報として「ロマンチック」が抽出され、その「ロマンチック」に対する重み係数として１．０００が抽出される。さらに「ういういしい」が選択されていた場合、印象情報として「ロマンチック」が抽出され、その「ロマンチック」に対する重み係数として０．５００が抽出される。この場合、印象情報毎に重み係数を足し合わせた評価値は、それぞれ「プリティ」が１．０００、「ロマンチック」が１．５００となる。したがって、図３０に示すようなユーザ印象情報データベースが登録される。
【０１１９】
ステップＳ３０ｅでは、ステップＳ３０ｂで基準印象マップ以外の印象マップから選択された情報（カラーパッチ、カラーパレット、コーヒーカップの絵）に基づいてユーザ嗜好情報データベースが登録される。ユーザ嗜好情報データベースは、図７〜図９に示した印象マップで表される各評価空間において選択された選択肢の配置位置の組み合わせに応じて登録される。
【０１２０】
まず、ステップＳ３０ｂで選択された情報に基づいてユーザ嗜好評価パターンが求められる。ユーザ嗜好評価パターンは、上記のステップＳ１０ｄと同様に求められる。すなわち、選択されたカラーパッチが割り付けられたI軸上の座標とII軸上の座標、選択されたカラーパレットが割り付けられたIII軸上の座標とIV軸上の座標、及び、選択されたコーヒーカップの絵が割り付けられたV軸上の座標とVI軸上の座標とをプロットする。このとき、１つの印象マップに対して複数の選択肢が選択されている場合には、それぞれの座標軸（評価軸）上における複数の選択肢の平均位置を示す座標をプロットする。このようにプロットされたユーザ嗜好評価パターンは、各印象マップで表される評価空間において選択された選択肢の配置位置の組み合わせを表す。
【０１２１】
ユーザ嗜好評価パターンと印象情報毎に定められた基準パターンとのマッチングによって決定される。マッチング処理には、既存の方法を適用することができる。例えば、上記の数式（１）を用いて、I軸からVI軸までの基準パターンの値ａIからａVIとユーザ嗜好評価パターンの値ＡIからＡVIの二乗平均値に基づいてマッチングの度合を算出し、マッチングの度合が所定の閾値よりも高い印象情報を抽出する。また、抽出された印象情報に対してマッチングの評価値を設定する。このとき、マッチングの度合が高いほど評価値を高くする。マッチング処理で得られた各印象情報に対する評価値は、図３１に示すように、ユーザ嗜好情報データベースとして記憶部１２に登録される。
【０１２２】
なお、年齢（年代）、性別等のユーザの特性に応じて印象情報毎に設定される基準パターンが定められている場合、図２７〜図２９にユーザの年代や性別を入力するためにチェックボックス等を設けてユーザの特性を取得し、その特性に応じた基準パターンとのマッチング処理を行うことも好適である。これによって、特定の年齢や性別のユーザの嗜好を適切に評価した印象の評価値を求めることができる。
【０１２３】
また、一人のユーザが選択した選択肢に基づいてユーザ印象情報データベース及びユーザ嗜好情報データベースを定めるものとしたが、上記工程を繰返すことによって複数の者から得られた情報に基づいて処理を行うことも好適である。例えば、企業内の複数の役員から企業のコーポレートカラーの印象情報を抽出したり、複数の商品開発担当者から商品デザインの印象情報を抽出したりする場合に非常に有効である。
【０１２４】
ユーザ毎に、各選択肢群から選択肢を選択させる。そして、選択された形容詞から印象情報を抽出し、抽出された印象情報毎に重み係数を足し合わせて評価値を算出する。さらに、印象情報毎に複数のユーザに対する印象情報の評価値を足し合わせて、その和をユーザ印象情報データベースに登録する。また、複数のユーザによって選択されたカラーパッチ、カラーパレット、コーヒーカップの絵のそれぞれについて各印象マップにおける評価軸上の平均的な位置（座標）を求め、それらによって表されるユーザ嗜好評価パターンに基づいて各印象情報の評価値を決定し、ユーザ嗜好情報データベースとして登録する。
【０１２５】
この場合も、年齢（年代）、性別等の特性毎にユーザを分類して、それぞれの分類毎に嗜好評価パターンを求めてマッチング処理を行うことによって、ユーザの特性毎に実際のデザインから受ける印象を表す情報を抽出してもよい。
【０１２６】
また、本実施の形態では、カラーパッチ群、カラーパレット群、コーヒーカップの絵群（具象化された画像群）の組み合わせによって嗜好情報データベースを登録したが、これに限定されるものではない。ドキュメントのデザインの印象を表す選択肢群であればよい。
【０１２７】
また、基準印象マップは形容詞群以外の選択肢群が割り当てられた印象マップでもよい。例えば、形容詞群の代わりにカラーパッチ群が割り当てられた印象マップを基準印象マップとし、形容詞群、カラーパレット群及びコーヒーカップの絵群を用いて基準印象マップ上におけるユーザの嗜好を示すユーザ嗜好情報データベースを求めてもよい。
【０１２８】
２−４．印象提示工程
ステップＳ０において、印象提示工程ボタン２６がクリックされると、ステップＳ４０の印象提示工程に処理が移行される。
【０１２９】
ステップＳ４０の印象提示工程は、図３２に示すフローチャートに沿って実行され、ステップＳ１０で求めた目標印象情報データベース及び嗜好情報データベースの内容、ステップＳ２０で求めたデザイン印象情報、及び、ステップＳ３０で求めたユーザ印象情報データベース及びユーザ嗜好情報データベースの内容の表示を行う。
【０１３０】
まず、ステップＳ４０ａにおいて、制御部１０は、表示選択画面１０１０を出力部１６に表示させ、いずれの情報の表示を行うかを操作者に選択させる。
【０１３１】
表示選択画面１０１０では、図３３のように、表示の対象となるデザインの識別番号を入力ボックス５４に入力する。また、チェックボックス５０を選択して、決定ボタン５２をクリックすることによって、目標印象情報データベース及び嗜好情報データベースの比較表示、デザイン印象情報の表示、並びに、ユーザ印象情報データベース及びユーザ嗜好情報データベースの比較表示のいずれか１つ以上を選択する。
【０１３２】
次に、表示する情報の入力を受けた制御部１０は、ステップＳ４０ｂにおいて、印象マップ画面１０１２上に目標印象情報データベースと嗜好情報データベースの比較、デザイン印象情報、又は、ユーザ印象情報データベースとユーザ嗜好情報データベースの比較を表示する。
【０１３３】
印象マップ画面１０１２は、図３４のように、図６に示した印象マップを表示するものである。すなわち、印象マップ画面１０１２は、複数の領域に分割されており、各々の領域に領域識別番号が付与されている。
【０１３４】
ここで、印象マップ画面１０１２に座標軸を設けて、その座標軸に沿って印象が所定の傾向で変化していくように領域識別番号を割り付けることが好適である。例えば、図３４に示す印象マップ画面１０１２の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す情報が割り当てられている。なお、印象マップ画面１０１２上への情報の割り当て方法はこれに限られるものではなく、対象とするデザインの種類に応じて座標軸の設定を変更することが好ましい。
【０１３５】
一方、記憶部１２には、図３５に示すように、印象表示用データベースとして、領域識別番号毎に印象を表現する印象情報が対応付けられて保持されている。制御部１０は、印象表示用データベースを参照することによって、目標印象情報データベースに登録されている印象情報、嗜好情報データベースに登録されている印象情報、デザイン印象情報、ユーザ印象情報データベースに登録されている印象情報、及び、ユーザ嗜好情報データベースに登録されている印象情報が対応付けられている領域識別番号を抽出し、抽出された領域識別番号が付与された印象マップ画面１０１２上の領域に対応する印象情報及びその評価値を表示する。
【０１３６】
ステップＳ４０ａにおいて目標印象情報の表示が選択された場合、目標印象情報データベースが参照され、評価値が０でない印象情報及び評価値が抽出される。そして、印象表示用データベースが参照され、図３６のように、抽出された印象情報に関連付けて登録されている領域識別番号に対応する印象マップ画面１０１２上の領域に対応する印象情報及び評価値を重ね合わせて表示する。
【０１３７】
また、嗜好情報データベースが参照され、評価値が０でない印象情報及び評価値が抽出される。そして、印象表示用データベースが参照され、図３７のように、抽出された印象情報に関連付けて登録されている領域識別番号に対応する印象マップ画面１０１２上の領域に対応する印象情報及び評価値を重ね合わせて表示する。
【０１３８】
このとき、図３６の目標印象情報データベースに基づく表示と、図３７の嗜好情報データベースに基づく表示と、を１つの表示画面上に並べて同時に表示させることが好適である。
【０１３９】
本実施の形態では、ステップＳ１０において、基準印象マップとは異なる印象の傾向を示すI座標〜VI座標の座標軸で表される印象マップを用いて得られた嗜好評価パターンについて基準パターンとマッチング処理することによって、デザイン制作に対するユーザの嗜好を基準印象マップ上の印象情報及び評価値で表現することを可能としている。これによって、目標印象情報データベース及び嗜好情報データベースに登録されている印象情報及び評価値を同一の基準印象マップ上に表現することができ、デザイン制作の目標とすべき印象をユーザが比較し易いように呈示することができる。
【０１４０】
また、嗜好評価パターンと基準パターンとのマッチングの度合を示す評価値を印象マップ上に表示することによって、目標印象情報データベースと嗜好情報データベースとの比較をより容易にすることができる。
【０１４１】
ステップＳ４０ａにおいてデザイン印象情報が選択された場合、図３８のように、デザイン識別番号に関連付けられたデザインデータベースに含まれるデザイン印象情報が印象マップ画面１０１２に重ね合わせて表示される。このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントデータ自体を表示することも好適である。
【０１４２】
ステップＳ４０ａにおいてユーザ印象情報の表示が選択された場合、ユーザ印象情報データベースが参照され、評価値が０でない印象情報及び評価値が抽出される。そして、印象表示用データベースが参照され、図３９のように、抽出された印象情報に関連付けて登録されている領域識別番号に対応する印象マップ画面１０１２上の領域に対応する印象情報及び評価値を重ね合わせて表示する。
【０１４３】
また、ユーザ嗜好情報データベースが参照され、評価値が０でない印象情報及び評価値が抽出される。そして、印象表示用データベースが参照され、図４０のように、抽出された印象情報に関連付けて登録されている領域識別番号に対応する印象マップ画面１０１２上の領域に対応する印象情報及び評価値を重ね合わせて表示する。
【０１４４】
このとき、図３９のユーザ印象情報データベースに基づく表示と、図４０のユーザ嗜好情報データベースに基づく表示と、を１つの表示画面上に並べて同時に表示させることが好適である。
【０１４５】
本実施の形態では、ステップＳ３０において、基準印象マップとは異なる印象の傾向を示すI座標〜VI座標の座標軸で表される印象マップを用いて得られた嗜好評価パターンについて基準パターンとマッチング処理することによって、実際のドキュメントのデザインに対するユーザの嗜好を基準印象マップ上の印象情報及び評価値で表現することを可能としている。これによって、ユーザ印象情報データベース及びユーザ嗜好情報データベースに登録されている印象情報及び評価値を同一の基準印象マップ上に表現することができ、実際のドキュメントのデザインの印象をユーザが比較し易いように呈示することができる。
【０１４６】
また、ユーザ嗜好評価パターンと基準パターンとのマッチングの度合を示す評価値を印象マップ上に表示することによって、ユーザ印象情報データベースとユーザ嗜好情報データベースとの比較をより容易にすることができる。
【図面の簡単な説明】
【０１４７】
【図１】本発明の実施の形態におけるデザイン制作支援装置の全体構成のブロック図を示す。
【図２】本発明の実施の形態におけるマネジメントサーバの構成のブロック図を示す。
【図３】本発明の実施の形態におけるデザイン制作支援方法のメインのフローチャートを示す図である。
【図４】本発明の実施の形態におけるメインメニュー画面を示す図である。
【図５】本発明の実施の形態における目標印象決定工程のフローチャートを示す図である。
【図６】本発明の実施の形態における印象マップを示す図である。
【図７】本発明の実施の形態における印象マップを示す図である。
【図８】本発明の実施の形態における印象マップを示す図である。
【図９】本発明の実施の形態における印象マップを示す図である。
【図１０】本発明の実施の形態における印象表現データベースを示す図である。
【図１１】本発明の実施の形態における目標印象入力画面を示す図である。
【図１２】本発明の実施の形態における目標印象入力画面を示す図である。
【図１３】本発明の実施の形態における目標印象入力画面を示す図である。
【図１４】本発明の実施の形態における目標印象入力画面を示す図である。
【図１５】本発明の実施の形態における印象評価データベースを示す図である。
【図１６】本発明の実施の形態における目標印象情報データベースを示す図である。
【図１７】本発明の実施の形態における嗜好評価パターンの求め方を説明する図である。
【図１８】本発明の実施の形態における嗜好情報データベースを示す図である。
【図１９】本発明の実施の形態におけるデザイン印象評価工程のフローチャートを示す図である。
【図２０】本発明の実施の形態におけるデザイン印象評価画面を示す図である。
【図２１】本発明の実施の形態におけるデザインデータベースを示す図である。
【図２２】本発明の実施の形態におけるウェブページの例を示す図である。
【図２３】本発明の実施の形態におけるデザイン評価データベースを示す図である。
【図２４】本発明の実施の形態におけるユーザ印象取得工程のフローチャートを示す図である。
【図２５】本発明の実施の形態におけるドキュメントデータ選択画面を示す図である。
【図２６】本発明の実施の形態におけるユーザ印象入力画面を示す図である。
【図２７】本発明の実施の形態におけるユーザ印象入力画面を示す図である。
【図２８】本発明の実施の形態におけるユーザ印象入力画面を示す図である。
【図２９】本発明の実施の形態におけるユーザ印象入力画面を示す図である。
【図３０】本発明の実施の形態におけるにユーザ印象情報データベースを示す図である。
【図３１】本発明の実施の形態におけるにユーザ嗜好情報データベースを示す図である。
【図３２】本発明の実施の形態における印象提示工程のフローチャートを示す図である。
【図３３】本発明の実施の形態における表示選択画面を示す図である。
【図３４】本発明の実施の形態における印象マップ画面を示す図である。
【図３５】本発明の実施の形態における印象表示用データベースを示す図である。
【図３６】目標印象情報データベースに登録された情報を重ね合わせて表示した印象マップ画面を示す図である。
【図３７】嗜好情報データベースに登録された情報を重ね合わせて表示した印象マップ画面を示す図である。
【図３８】デザイン印象情報及びドキュメントデータを重ね合わせて表示した印象マップ画面を示す図である。
【図３９】ユーザ印象情報データベースに登録された情報を重ね合わせて表示した印象マップ画面を示す図である。
【図４０】ユーザ嗜好情報データベースに登録された情報を重ね合わせて表示した印象マップ画面を示す図である。
【図４１】デザイン制作のフローチャートを示す図である。
【符号の説明】
【０１４８】
５  マウスポインタ、１０  制御部、１２  記憶部、１４  入力部、１５  入力ボックス、１６  出力部、１８  ネットワークインターフェース部、２０  目標印象決定ボタン、２２  デザイン印象評価ボタン、２４  ユーザ印象取得ボタン、２６  印象提示ボタン、２８  チェックボックス、２９  決定ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６０  印象情報表示領域、６２ａ  Ｘ座標軸、６２ｂ  Ｙ座標軸、６５  処理復帰ボタン、６８  ドキュメントデータの表示、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン取込画面、１００６  ドキュメントデータ選択画面、１００８  ユーザ印象入力画面、１０１０  表示選択画面、１０１２  印象マップ画面。
【図１】
0004802826.tif 000003
【図２】
0004802826.tif 000004
【図３】
0004802826.tif 000005
【図４】
0004802826.tif 000006
【図５】
0004802826.tif 000007
【図６】
0004802826.tif 000008
【図１０】
0004802826.tif 000009
【図１１】
0004802826.tif 000010
【図１５】
0004802826.tif 000011
【図１６】
0004802826.tif 000012
【図１８】
0004802826.tif 000013
【図１９】
0004802826.tif 000014
【図２０】
0004802826.tif 000015
【図２１】
0004802826.tif 000016
【図２２】
0004802826.tif 000017
【図２３】
0004802826.tif 000018
【図２４】
0004802826.tif 000019
【図２５】
0004802826.tif 000020
【図２６】
0004802826.tif 000021
【図２７】
0004802826.tif 000022
【図２８】
0004802826.tif 000023
【図２９】
0004802826.tif 000024
【図３０】
0004802826.tif 000025
【図３１】
0004802826.tif 000026
【図３２】
0004802826.tif 000027
【図３３】
0004802826.tif 000028
【図３４】
0004802826.tif 000029
【図３５】
0004802826.tif 000030
【図３６】
0004802826.tif 000031
【図３７】
0004802826.tif 000032
【図３８】
0004802826.tif 000033
【図３９】
0004802826.tif 000034
【図４０】
0004802826.tif 000035
【図４１】
0004802826.tif 000036
【図７】
0004802826.tif 000037
【図８】
0004802826.tif 000038
【図９】
0004802826.tif 000039
【図１２】
0004802826.tif 000040
【図１３】
0004802826.tif 000041
【図１４】
0004802826.tif 000042
【図１７】
0004802826.tif 000043